(57)【要約】【課題】２本の電池Ｂを収容した状態で加熱調理器等の機器の本体１から引出し自在に設けられた電池ケース８であって、電池ケース８の前板部８２の内面に、一方の電池Ｂのプラス極に接する端子板８２ａと、他方の電池Ｂのマイナス極に接するコイルばねで構成されるばね端子８２ｂとを備えるものにおいて、電池ケース８から電池Ｂを取り外し易くする。【解決手段】電池ケース８の両側板部８５，８６の上縁を、収容された電池Ｂの中心軸Ｌよりも下方に位置させ、各側板部８５，８６に、隣接する電池Ｂのプラス極側に位置させて、上縁から下方へ切り欠かれた切欠部８５ａ，８６ａを形成する。【選択図】図２
2009252684.tif 000002
【特許請求の範囲】
【請求項１】
２本の電池を収容した状態で機器本体から引出し自在な電池ケースであって、
引出し方向を前方、引出し方向と逆の方向を後方として、
一方の電池のプラス極が前方を向き、他方の電池のプラス極が後方を向くように、２本の電池が横方向に並べて載置される矩形状の底板部と、
底板部の前縁に立設された前板部と、
底板部の後縁に立設された後板部と、
底板部の左右の各側縁に立設された一対の側板部と、
前板部の内面に設けられ、一方の電池のプラス極に接する端子板及び他方の電池のマイナス極に接するコイルばねで構成されるばね端子と、
後板部の内面に設けられ、一方の電池のマイナス極に接するコイルばねで構成されるばね端子及び他方の電池のプラス極に接する端子板とを備え、
２本の電池を電気的に直列に接続して機器に備える電装品に電力を供給するものにおいて、
両側板部の上縁は、収容された電池の中心軸よりも下方に位置し、
各側板部に、隣接する電池のプラス極側に位置させて、上縁から下方へ切り欠かれた切欠部を形成したことを特徴とする電池ケース。
【発明の詳細な説明】
【技術分野】
【０００１】
本発明は、加熱調理器等の機器に引出し自在に設けられた電池ケースに関する。
【背景技術】
【０００２】
従来、２本の単１乾電池を収容した状態で加熱調理器の前方から引出し自在な電池ケースであって、一方の電池のプラス極が前方を向き、他方の電池のプラス極が後方を向くように、２本の電池が横方向に並べて載置される矩形状の底板部と、底板部の前縁に立設された前板部と、底板部の後縁に立設された後板部と、底板部の左右の各側縁に立設された一対の側板部と、前板部の内面に設けられ、一方の電池のプラス極に接する端子板及び他方の電池のマイナス極に接するばねで構成されるコイルばね端子と、後板部の内面に設けられ、一方の電池のマイナス極に接するコイルばねで構成されるばね端子及び他方の電池のプラス極に接する端子板とを備え、２本の電池を電気的に直列に接続して加熱調理器に備える電装品に電力を供給するものが知られている（例えば、特許文献１参照）。
【特許文献１】特開２００４−２８６２７４号公報
【発明の開示】
【発明が解決しようとする課題】
【０００３】
従来の電池ケースでは、電池ケースを引き出して電池を交換する際に、使用者は心理的に把持し易い電池の手前側を把持して電池を取り外してしまうことが多い。プラス極側が手前に向いている電池を取り外す場合には問題ないが、マイナス極側が手前に向いている電池の手前側を把持して取り外そうとすると、ばね端子が電池と共に上方へ引っ張られて、電池をうまく取り外せなくなる。
【０００４】
本発明は、以上の点に鑑み、電池の取り外しが容易な電池ケースを提供することを目的とする。
【課題を解決するための手段】
【０００５】
上記目的を達成するため、本発明は、２本の電池を収容した状態で機器本体から引出し自在な電池ケースであって、引出し方向を前方、引出し方向と逆の方向を後方として、一方の電池のプラス極が前方を向き、他方の電池のプラス極が後方を向くように、２本の電池が横方向に並べて載置される矩形状の底板部と、底板部の前縁に立設された前板部と、底板部の後縁に立設された後板部と、底板部の左右の各側縁に立設された一対の側板部と、前板部の内面に設けられ、一方の電池のプラス極に接する端子板及び他方の電池のマイナス極に接するコイルばねで構成されるばね端子と、後板部の内面に設けられ、一方の電池のマイナス極に接するコイルばねで構成されるばね端子及び他方の電池のプラス極に接する端子板とを備え、２本の電池を電気的に直列に接続して機器に備える電装品に電力を供給するものにおいて、両側板部の上縁は、収容された電池の中心軸よりも下方に位置し、各側板部に、隣接する電池のプラス極側に位置させて、上縁から下方へ切り欠かれた切欠部を形成したことを特徴とする。
【０００６】
本発明によれば、各側板部に、隣接する電池のプラス極側に位置させて、上縁から下方へ切り欠かれた切欠部が設けられているため、側板部に設けられた切欠部を視認した使用者は、心理的に切欠部が設けられている電池のプラス極側を把持しようとする。これにより、使用者が誤って電池のマイナス極側を把持してしまうことを抑制でき、電池を容易に取り外すことができる。
【０００７】
また、両側板部の上縁を、電池ケースに収容された電池の中心軸よりも下方に位置させているため、使用者が電池ケースに収容された電池を左右方向から把持し易くなり、電池の取り外しに便利である。
【発明を実施するための最良の形態】
【０００８】
図１はシステムキッチンのカウンタトップ（図示せず）に開設した開口に落とし込むようにして配置するドロップイン式の加熱調理器を示している。図中１は調理器本体、２は調理器本体１の上面を覆うようにしてカウンタトップ上に載置する天板である。
【０００９】
ドロップイン式の加熱調理器では、カウンタトップへの調理器本体１の設置作業を容易にするため、調理器本体１の横幅をカウンタトップの下に確保する調理器設置空間の横幅よりも狭くしており、調理器本体１の左右の各外側面と調理器設置空間の左右の各側面との間に隙間を生ずる。そこで、調理器本体１の設置作業後に、上記隙間を目隠しするサイドピース１ａを調理器本体１の左右の各外側面に取り付けている。
【００１０】
調理器本体１には、前側の左右２個と後ろ側１個の計３個のバーナ３が設けられると共に、グリル４が内蔵されている。そして、天板２に、これら各バーナ３を臨ませる開口を形成して、各開口を囲うように五徳５を載置すると共に、天板２の後部にグリル４用の排気口２ａを開設している。尚、各バーナ３には、各五徳５上に載置する鍋等の調理用器の底面に当接して調理用器の温度を検出する鍋底温度センサ３ａが付設されている。
【００１１】
調理器本体１の前面には、横方向中央に位置させてグリル扉４ａが配置され、グリル扉４ａの左右両側に位置させて左右一対の前面パネル１ｂが配置されている。各前面パネル１ｂには、各バーナ３とグリル４の点消火用の操作子６と火力調整レバー７とが配置されている。尚、各前面パネル１ｂは、調理器本体１から横方向に張り出してサイドピース１ａを前方から覆うように形成されており、調理器本体１の設置後に調理器本体１の前面に取り付けられる。
【００１２】
また、右側の前面パネル１ｂの下側には、単１乾電池等の電池Ｂを２本収容する電池ケース８が調理器本体１の前方に引出し自在に設けられいている。
【００１３】
電池ケース８は、図２に示すように、調理器本体１内に設けられる収納箱９から前方へ引出し自在とされるものであり、２本の電池Ｂのうちの一方の電池Ｂのプラス極が前方を向き、他方の電池Ｂのプラス極が後方を向くように、２本の電池Ｂが横方向に並べて載置される長方形状の底板部８１を備える。
【００１４】
底板部８１の前縁には前板部８２が立設され、その内面には、一方の電池Ｂのプラス極に接する端子板８２ａ（図３参照）と、他方の電池Ｂのマイナス極に接するコイルばねで構成されるばね端子８２ｂとを備える。端子板８２ａとばね端子８２ｂは電気的に接続されている。
【００１５】
また、前板部８２の外面には、化粧板８３が取り付けられている。ここで、化粧板８３は、電池ケース８の前板部８２から横方向片側に張り出す張出部８３ａを有し、電池ケース８を調理気本体１に没入させたときに、張出部８３ａによりサイドピース１ａの下部が前方から覆われるようにしている。
【００１６】
底板部８１の後縁には後板部８４が立設され、その内面には、一方の電池Ｂのマイナス極に接するコイルばねで構成されるばね端子８４ａと、他方の電池Ｂのプラス極に接する端子板８４ｂとを備える。ばね端子８４ａ及び端子板８４ｂは加熱調理器に備えるコントローラ等の電装品（図示せず）と導線で結線されている。
【００１７】
底板部８１の左右の各側縁には、一対の側板部８５，８６が立設されている。両側板部８５，８６の上縁は、図３に示すように、電池ケース８に収容された電池Ｂの中心軸Ｌよりも下方に位置している。これにより、電池Ｂを左右方向から把持し易くなる。
【００１８】
ところで、上記の如く構成される電池ケース８では、電池ケース８を引き出して電池Ｂを取り外す際に、使用者は、心理的に手前に位置する電池Ｂの前方側を把持して、電池Ｂを上方に引き上げようとしてしまうことが多い。マイナス極側が前方に位置する電池Ｂをこのように取り外そうとすると、前板部８２のばね端子８２ｂが電池Ｂと共に上方に引き上げられて、電池Ｂが取り外し難くなる。また、使用者が、プラス極側が前方を向く電池Ｂを、その後方側を把持して電池ケース８から取り外そうとしたときも、ばね端子８４ａが電池Ｂと共に引き上げられて、電池Ｂが取り外し難くなる。
【００１９】
そこで、実施形態の電池ケース８では、側板部８５，８６に、隣接する電池Ｂのプラス極側に位置させて、下方へ切り欠いた切欠部８５ａ，８６ａを設けている。切欠部８５ａ，８６ａを視認した使用者は、電池Ｂを把持する際に、心理的に切欠部８５ａ，８６ａが設けられた側である電池Ｂのプラス極側を把持しようとする。これにより、使用者が誤って電池Ｂのマイナス極側を把持してしまうことを抑制できる。そして、電池Ｂのプラス極側を引き上げることにより、ばね端子８２ｂ，８４ａが自然に圧縮され、電池Ｂを容易に取り外すことができる。
【００２０】
尚、実施形態は、ドロップイン式の加熱調理器に設ける電池ケース８に本発明を適用したものであるが、卓上式の加熱調理器、更には、加熱調理器以外の機器に設ける電池ケースにも同様に本発明を適用できる。
【図面の簡単な説明】
【００２１】
【図１】本発明の実施形態の電池ケースを備える加熱調理器を示す斜視図。
【図２】実施形態の電池ケースを示す斜視図。
【図３】実施形態の電池ケースを示す左側面図。
【符号の説明】
【００２２】
１…調理器本体（機器本体）、  ８…電池ケース、  ８１…底板部、  ８２…前板部、  ８２ａ…端子板、  ８２ｂ…ばね端子、  ８４…後板部、  ８４ａ…ばね端子、  ８４ｂ…端子板、  ８５…側板部、  ８５ａ…切欠部、  ８６…側板部、  ８６ａ…切欠部、  Ｂ…電池、  Ｌ…中心軸。
【図３】
2009252684.tif 000003
【図１】
2009252684.tif 000004
【図２】
2009252684.tif 000005